(57)【要約】【課題】障子の開閉移動時に障子が外れることのないフラットサッシ構造を提供すること。【解決手段】障子１ａ，１ｂをスライド移動可能に支持するフラットサッシ構造において、サッシ下枠部２ａ，２ｂを、底壁２０１とその屋内側に立設した起立壁２０２とからなるベース部材２０ａ，２０ｂと、底壁２０１上面に、障子１ａ，１ｂの戸車１０を転動自在に載置する枠部材２１ａ，２１ｂを着脱可能に組付け、枠部材２１ａ，２１ｂと起立壁２０２との間に貫通溝２３ａ，２３ｂを形成し、かつ貫通溝２３ａ，２３ｂの一方の側縁に下方へ向けて開口する溝状のガイド部２２を設ける。障子１ａ，１ｂの下端には下方へ突出するガイド片１１を設け、ガイド片１１の下端に、ガイド部２２側へ突出する底部１２と、底部から上方へ突出する先端部１３とで鉤形に形成し、ガイド片１１を貫通溝２３ａ，２３ｂに挿入するとともに、先端部１３をガイド部２２に嵌合せしめた。【選択図】        図１
2005350942.tif 000002
【特許請求の範囲】
【請求項１】
建築物の屋外開口部を開閉する障子をスライド移動可能に支持するサッシであって、サッシ下枠部の上面を略フラット面に形成し、上記サッシ下枠部の上面には、上記障子の戸車を転動自在に載置する転動部と、該転動部に隣接して上記障子の下縁から下方へ突出するガイド片を挿通せしめて障子を開閉案内する貫通溝とを設けたフラットサッシ構造において、
上記サッシ下枠部を、底壁とその屋内側の端縁から起立する起立壁とを備えたベース部材と、該ベース部材の底壁上面の屋外側に、上記転動部を構成する枠部材を着脱可能に組付け、上記枠部材と上記起立壁との間に上記貫通溝を形成するようになし、
上記貫通溝を囲む両側の側縁のうち一方の側縁に下方へ向けて開口する溝状のガイド部を設ける一方、上記ガイド片の下端には、上記ガイド部側へ向けて突出する底部と、該底部から上方へ突出する先端部とからなる鉤形部を設け、該鉤形部を上記ガイド部の内部へ嵌合せしめたことを特徴とするフラットサッシ構造。
【請求項２】
上記ガイド片の先端部には上記ガイド部内に嵌合する摺動部材を設け、上記ガイド部により上記ガイド片の摺動部材を摺動案内せしめるようになした請求項１に記載のフラットサッシ構造。
【請求項３】
上記枠部材は、上記戸車を載置する上記転動部たる上壁と、その屋外側および屋内側の両側端からそれぞれ下方へ突出する側壁とを備えたレール材からなり、上記両側壁の下端を上記ベース部材の底壁上面に当接せしめてクリップにより着脱可能に組付けるようになした請求項１または２に記載のフラットサッシ構造。
【請求項４】
上記サッシ下枠部は、上記ベース部材の底壁を屋外側の端縁に向けて緩やかな下り斜面をなす傾斜状に形成し、上記枠部材の両側壁の下端にはそれぞれ上記ベース部材との当接部に、上記貫通溝よりサッシ内に侵入した雨水等を上記底壁に沿って屋外側へ排出する排水口を所定位置に設け、かつ屋内側の上記側壁の排水口と屋外側の上記側壁の排水口とをサッシ下枠部の長手方向にずらした位置に設けた請求項３に記載のフラットサッシ構造。
【請求項５】
上記サッシ下枠部は、屋外側の障子をスライド移動可能に支持する上記ベース部材と上記枠部材とからなる屋外側下枠部と、屋内側の障子をスライド移動可能に支持する上記ベース部材と上記枠部材とからなる屋内側下枠部とを並設し、上記両下枠部を中間に断熱材を介して結合せしめて引き違い障子を支持するようになした請求項１ないし４のいずれかに記載のフラットサッシ構造。
【請求項６】
上記引き違い障子を支持せしめる上記サッシ下枠部は、上記屋外側下枠部の上記底壁と上記屋内側下枠部の上記底壁とを一連に屋外側へ向けて緩やかな下り斜面をなす傾斜状に形成し、屋内側の上記枠部材の両側壁の下端、屋外側の上記ベース部材の起立壁の下端、および屋外側の上記枠部材の両側壁の下端にそれぞれ、屋外側および屋内側の上記貫通溝よりサッシ内に侵入した水等を屋外側へ排出する排水口を設け、かつ各排水口をサッシ下枠部の長手方向にずらした位置に設けた請求項５に記載のフラットサッシ構造。
【発明の詳細な説明】
【技術分野】
【０００１】
本発明は、障子をスライド移動可能に支持するサッシの下枠部の上面を略フラット面に形成したフラットサッシ構造に関する。
【背景技術】
【０００２】
従来、図７に示すように、建築物の屋外開口部を開閉する障子６ａ，６ｂをスライド移動可能に支持するサッシには、サッシの下枠部７の上面を略フラットに形成し、屋内の床面Ｆと屋外に設置されたデッキＤとを面一にするフラットサッシ構造のものがある（例えば、特許文献１参照。）。
【０００３】
この種の従来のサッシ下枠部７は、図８に示すように、本体枠部材７０と、その上部に設けられて屋外側の障子６ａおよび屋内側の障子６ｂをそれぞれ支持する枠部材７１ａ，７１ｂとで構成され、両枠部材７１ａ，７１ｂは本体枠部材７０の上部の屋外側および屋内側の位置に互いに間隔をおいて平行に取り付けられている。各枠部材７１ａ，７１ｂは下方へ開口する断面コ字形をなし、各枠部材７１ａ，７１ｂの上面がそれぞれ障子６ａ，６ｂの各戸車６０を転動せしめる転動面をなし、両転動面は床面Ｆとほぼ同じ高さに設けられている。
【０００４】
各枠部材７１ａ，７１ｂに隣接してこれらの屋内側には、各障子６ａ，６ｂの下框の下縁から下方へ突出する縦板状のガイド片６１を上から挿通せしめた貫通溝７３ａ，７３ｂを有する中空凹部７４ａ，７４ｂが形成されている。フラットサッシの下枠部７は、各枠部材７１ａ，７１ｂの上面にそれぞれ、各障子６ａ，６ｂの戸車６０を載置せしめて各障子６ａ，６ｂを移動可能に支持するとともに、各貫通溝７３ａ，７３ｂに各障子６ａ，６ｂのガイド片６１を挿通せしめて各障子６ａ，６ｂをそれらの開閉方向に沿って案内せしめるようにしている。また、障子６ａの屋外側には網戸９が設けられ、網戸９はその戸車９０およびガイド片９１が、枠部材７１ａの屋外側の側縁部に一体成形された転動面および貫通溝により開閉方向に移動可能に支持されている。
【０００５】
下枠部７には、各貫通溝７３ａ，７３ｂから各中空部７４ａ，７４ｂ内へ雨水等が侵入し易く、侵入した水を排出するために各中空部７４ａ，７４ｂの底壁にそれぞれ排水口７５ａ，７５ｂを設けて両中空部７４ａ，７４ｂ内に侵入した水を下方の中空部７６内に流下せしめるとともに、該中空部７６を形成する本体枠部材７０の屋外側の側壁下端の形成した排水口７７より屋外へ排出せしめるようにしている（図８の黒矢印）。排水口７７の外側にこれを開閉可能に逆風逆水止め部材７８が設置されている。図の８は下地部材、８０は下枠部２を下地部材８に固定するアンカ部材、８１は下枠部７と下地部材８０との隙間を塞ぐ化粧板である。
【特許文献１】特開２００２−１９４９５５号公報
【発明の開示】
【発明が解決しようとする課題】
【０００６】
ところで、下枠部７の各枠部材７１ａ，７１ｂの上面には、異物が載りやすく、障子６ａ，（６ｂ）の開閉移動時に障子６ａ，（６ｂ）の戸車６０が上記異物に乗り上げるおそれがあり、障子６ａ，（６ｂ）の戸車６０が異物に乗り上げると、障子６ａ，（６ｂ）のガイド片１１が貫通溝７３ａ，（７３ｂ）の上方へ抜け出て障子６ａ，（６ｂ）が外れ易いといった問題点があった。
【０００７】
また、従来構造では、室内への雨水等の侵入を防ぐ水密性能が十分とはいえない。排水口７７の逆風逆水止め部材７８はその上端が本体枠部材７０の側壁に枢着され、枢着部を中心に上下方向に回動して排水口７７のを開閉するもので、上記枢着部が砂等を噛み込むと開閉作動に支障をきたす。例えば、逆風逆水止め部材７８が閉じなければ、排水口７７から中空部７６内へ風が侵入し、中空部７６内へ侵入した風は、各排水口７５ａ，７５ｂから各中空部７４ａ，７４ｂ内へ侵入し、更に貫通溝７３ａ，７３ｂのガイド片６１との隙間から室内へ侵入する（図８の白矢印）。貫通溝７３ａ，７３ｂのガイド片６１との隙間にはタイト部材４２が設けられているが強い逆風を止めるには不十分で、排水口７５ａ，７５ｂから上記隙間を通過する逆風とともに、逆風に煽られて中空部７４ａ，７４ｂ内の水が室内へ侵入するといった問題があった。そこで各排水口７５ａ，７５ｂに弁を設けて、逆風、逆水を防止することが考えられるが、その分、コスト、および弁を取り付ける作業手間がかかり、各排水口７５ａ，７５ｂに取り付けた弁も逆風逆水止め部材７８と同様に作動不良を起こすおそれがある。
【０００８】
そこで本発明は、障子の開閉移動時に障子が外れ難く、かつ、室内への雨水等の侵入を防ぐ水密性能が高いフラットサッシ構造を提供することを課題としてなされたものである。
【課題を解決するための手段】
【０００９】
本発明は、建築物の屋外開口部を開閉する障子をスライド移動可能に支持するサッシであって、サッシ下枠部の上面を略フラット面に形成し、上記サッシ下枠部の上面には、上記障子の戸車を転動自在に載置する転動部と、該転動部に隣接して上記障子の下縁から下方へ突出するガイド片を挿通せしめて障子を開閉案内する貫通溝とを設けたフラットサッシ構造において、上記サッシ下枠部を、底壁とその屋内側の端縁から起立する起立壁とを備えたベース部材と、該ベース部材の底壁上面の屋外側に、上記転動部を構成する枠部材を着脱可能に組付け、上記枠部材と上記起立壁との間に上記貫通溝を形成するようになし、上記貫通溝を囲む両側の側縁のうち一方の側縁に下方へ向けて開口する溝状のガイド部を設ける。一方、上記ガイド片の下端には、上記ガイド部側へ向けて突出する底部と、該底部から上方へ突出する先端部とからなる鉤形部を設け、該鉤形部を上記ガイド部の内部へ嵌合せしめる（請求項１）。障子の下縁に突設したガイド片を鉤形としたので、障子の開閉移動時に障子の戸車が異物に乗り上げても、ガイド片がガイド部に引っ掛かるので障子が外れない。サッシ下枠部から枠部材を取り外すことで貫通溝が開放され、障子の取り付け、取り外しができる。
【００１０】
上記ガイド片の先端部には上記ガイド部内に嵌合する摺動部材を設け、上記ガイド部により上記ガイド片の摺動部材を摺動案内せしめる（請求項２）。障子の開閉移動時に、障子の移動がスムーズである。
【００１１】
上記枠部材は、上記戸車を載置する上記転動部たる上壁と、その屋外側および屋内側の両側端からそれぞれ下方へ突出する側壁とを備えたレール材からなり、上記両側壁の下端を上記ベース部材の底壁上面に当接せしめてクリップにより着脱可能に取り付ける（請求項３）。枠部材の着脱作業性が良好である。
【００１２】
上記サッシ下枠部は、上記ベース部材の底壁を屋外側の端縁に向けて緩やかな下り斜面をなす傾斜状に形成し、上記枠部材の両側壁の下端にはそれぞれ上記ベース部材との当接部に、上記貫通溝よりサッシ内に侵入した水等を上記底壁に沿って屋外側へ排出する排水口を所定位置に設け、かつ屋内側の上記側壁の排水口と屋外側の上記側壁の排水口とを下枠部の長手方向にずらした位置に設ける（請求項４）。貫通溝よりサッシ内に侵入した水は枠部材の各側壁の下端の各排水口より蛇行しながら屋外側へ排水される。また、屋外側の排水口より侵入する逆風は各排水口より蛇行しながら侵入することとなるので、屋内側へ入り込むにしたがって風力が弱まり、逆風によりサッシ内に侵入した水が貫通溝から屋内側へ逆流しない。
【００１３】
上記サッシ下枠部は、屋外側の障子をスライド移動可能に支持する上記ベース部材と上記枠部材とからなる屋外側下枠部と、屋内側の障子をスライド移動可能に支持する上記ベース部材と上記枠部材とからなる屋内側下枠部とを並設し、上記両下枠部を中間に断熱材を介して結合せしめて引き違い障子を支持せしめる（請求項５）。断熱材により屋内側下枠部の結露を防ぐことができる。
【００１４】
上記引き違い障子を支持せしめる上記サッシ下枠部は、上記屋外側下枠部の上記底壁と上記屋内側下枠部の上記底壁とを一連に屋外側へ向けて緩やかな下り斜面をなす傾斜状に形成し、屋内側の上記枠部材の両側壁の下端、屋外側の上記ベース部材の起立壁の下端、および屋外側の上記枠部材の両側壁の下端にそれぞれ、屋外側および屋内側の上記貫通溝よりサッシ内に侵入した水等を屋外側へ排出する排水口を設け、かつ各排水口を下枠部の長手方向にずらした位置に設ける（請求項６）。引き違い障子を支持せしめるサッシ下枠部でも請求項４と同様な作用効果が得られる。
【発明の効果】
【００１５】
本発明によれば、障子のガイド片を鉤形としてその先端部をサッシ下枠部のガイド部に挿入したので、障子の開閉移動時に障子が外れることがない。また、排水口を下枠部の長手方向にずらした位置に配置したので、屋外側の排水口より侵入する逆風の風力を弱めることができ、下枠部内に侵入した雨水等が貫通溝から屋内側へ逆流せず室内への水の侵入を防ぐ水密性能の高いフラットサッシ構造を提供することができる。
【発明を実施するための最良の形態】
【００１６】
図１ないし図６に基づいて、屋外側および屋内側の障子を支持するサッシ下枠部に本発明を適用した実施形態を説明する。図１および図３に示すように、サッシ下枠部は、屋外側の障子１ａを移動可能に支持する屋外側下枠部２ａと、屋内側の障子１ｂを移動可能に支持する屋内側下枠部２ｂとを並設してある。
【００１７】
屋外側下枠部２ａは、ベース部材２０ａと、障子１ａの戸車１０を転動可能に支持する転動部２１１をなす枠部材２１ａとで構成してある。ベース部材２０ａは、底壁２０１と、その屋内側の端縁から起立する起立壁２０２とで断面ほぼＬ字形のアルミ製長尺部材からなる。ベース部材２０ａは長手方向全長にわたってほぼ同一断面をなす。底壁２０１は屋内側の端縁に対して屋外側の端縁が下位となる緩やかな傾斜状に形成してある。底壁２０１の上面には、屋外側の端縁および中間位置にそれぞれ、上方かつ屋外側へ突出する一対の係合爪２０３が形成してある。
【００１８】
起立壁２０２はほぼ鉛直方向に立設し、上端には屋外側に突出しかつ下方へ向けて開口する断面ほぼコ字形のガイド部２２が形成してある。起立壁２０２の屋内側の壁面には、断面ほぼＣ字状をなし屋内側へ向けて開口する係合溝を有し、後述の屋内側下枠部２ｂと係合連結する係合部２０５が形成してある。
【００１９】
枠部材２１ａは、上面を平坦な上記転動部２１１とした角形の中空閉断面構造のアルミ製長尺部材からなり、長手方向全長にわたってほぼ同一断面をなす。枠部材２１ａの底壁部２１２は上下に間隔をおいた２重構造で、下面には枠部材２１ａの長手方向に沿って延びる係合溝２１３が形成してある。枠部材２１ａの屋外側および屋内側の両側壁部２１４，２１５の下端にはそれぞれ、底壁部２１２の下面よりも下方へ突出し、かつ屋内側へ屈曲して上記ベース部材２０ａの各係合爪２０３に対応する係合爪が形成してある。
【００２０】
枠部材２１ａは、ベース部材２０ａの底壁２０１上面の屋外側の位置に載置し、両側壁部２１４，２１５の下端の上記係合爪をそれぞれ、底壁２０１の両係合爪２０３に係合するとともに、底壁２０１上面に設けたクリップ３０に底壁部２１２の係合溝２１３を嵌合係止して着脱可能に組付けてある。
【００２１】
図４（Ａ）、（Ｂ）に示すように、クリップ３０は合成樹脂製で、円盤状の基端部３１と、基端部３１の周縁から側方へ延びる操作片３２を備え、基端部３１の中心にはネジ部材を貫通せしめる貫通穴３３が形成してある。基端部３１の上面には貫通穴３３の外周を囲む円筒状の突起３４が突設してある。突起３４の上端には突起３４の直径方向、かつ基端部３１と平行に突出する一対の係止爪３５が形成してあり、両係止爪３５と基端部３１との間に嵌合溝を形成している。両係止爪３５は操作片３２の延在方向に対して略直交方向に設けてある。
【００２２】
クリップ３０は、貫通穴３３を貫通するネジ部材によりベース部材２０ａの底壁２０１上面に締結してある。クリップ３０は、ベース部材２０ａの長手方向に対して操作片３２が直交し、その先端がベース部材２０ａよりも屋外側に突出した位置（図４（Ａ）のＹ位置）と、上記長手方向に沿う位置（図４（Ａ）のＺ位置）とに回転操作可能なようにしてある。また、クリップ３０の上記回転操作に対応して、底壁２０１の屋外側端縁の係合爪２０３、および枠部材２１ａの屋外側の側壁部２１４下端の係合爪は、所定の範囲切欠いてある。
【００２３】
クリップ３０は、予め上記Ｙ位置にセットし、両係止爪３５をベース部材２０ａの長手方向に沿うように配しておく。そして、ベース部材２０ａに枠部材２１ａを載置したときに、枠部材２１ａの下面の係合溝２１３に両係止爪３５を挿入せしめる。その後、クリップ３０を上記Ｚ位置へ回転操作することにより、両係止爪３５と基端部３１間の上記嵌合溝が係合溝２１３の両側縁に嵌合して枠部材２１ａを係合保持する。尚、ベース部材２０ａにはその長手方向に沿って所定の間隔をおいて複数のクリップ３０を設置し、これら複数のクリップ３０により枠部材２１ａを保持するようにしてある。
【００２４】
このようにベース部材２０ａに枠部材２１ａを組付けた屋外側下枠部２ａは、図１および図３に示すように、枠部材２１ａの転動部２１１とガイド部２２の上面とが水平面をなす。また、転動部２１１とガイド部２２の上面とは所定の間隔をおいて離間しており、枠部材２１ａとベース部材２０ａの起立壁２０２と間には後述の障子１ａのガイド片１１を挿入する貫通溝２３ａが設けてある。屋外側下枠部２ａには、枠部材２１ａの屋外側の側壁部２１４上端から屋外側へ向けて突出し図略の網戸を摺動案内する案内レール２５が一体に形成してある。また、ベース部材２０ａの下面には、屋外側の端縁から下方かつ屋内側へ向かって延びる取付片２０６と、屋内側の端縁から下方かつ屋外側へ向かって延び、取付片２０６の先端と間隔をおいて対向する取付片２０７とが形成してある。
【００２５】
屋外側下枠部２ａの枠部材２１ａは、ベース部材２０ａの全長に対してこれをほぼ２等分する分割構造としてあり、障子１ａを閉じたときに障子１ａを支持する部分と、障子１ａを全開したときに障子１ａを支持する部分とに分割してある。
【００２６】
屋外側下枠部２ａの屋内側には屋内側下枠部２ｂが並設してある。屋内側下枠部２ｂは、屋外側下枠部２ａと同様、ベース部材２０ｂと枠部材２１ｂとで構成してある。ベース部材２０ｂおよび枠部材２１ｂの基本構造は屋外側下枠部２ａのベース部材２０ａおよび枠部材２１ａとほぼ同じで、図において同一部分を同一符号で表す。ベース部材２０ｂの底壁２０１は屋内側から屋外側へ向けて緩やかな下り傾斜状をなす。底壁２０１の上面には、屋外側の端縁および中間位置にそれぞれ、上方へ突出し、かつ屋内側へ屈曲する一対の係合爪２０３が設けてある。起立壁２０２の上端には、屋外側に下方へ向けて開口する断面ほぼコ字形のガイド部２２が形成してある。
【００２７】
ベース部材２０ｂは、合成樹脂の断熱材４０を介して屋外側下枠部２ａのベース部材２０ａと結合してある。断熱材４０は上面の屋外側半面を屋外側のベース部材２ａの取付片２０７に下から重ね合わせてネジ部材により締結する一方、上面の屋内側半面を屋内側のベース部材２ｂの取付片２０６に下から重ね合わせてネジ部材により締結して両ベース部材２０ａ，２０ｂを結合している。両ベース部材２ａ，２ｂの各底壁２０１は、屋内側のベース部材２ｂの屋内側の端縁から屋外側のベース部材２ａの屋外側の端縁にかけて面一に緩やかな下り傾斜面なす。
【００２８】
屋内側下枠部２ｂの枠部材２１ｂは、角形の中空閉断面構造のアルミ製長尺部材からなり、長手方向全長にわたってほぼ同一断面をなす。枠部材２１ｂは転動部２１１の屋内側の端縁が屋内側の側壁部２１５よりも屋内側へ延設してあり、端縁には屈曲して下方へ延びるフランジを設けている。枠部材２１ｂの両側壁部２１４，２１５の下端にはそれぞれ上記係合爪２０３に対応す係合爪を備えている。そして、屋外側の側壁部２１４の表面には、屋外側のベース部材２０ａと枠部材２１ａとの取り付けに用いたと同一のクリップ３０が締結してある。
【００２９】
枠部材２１ｂは、ベース部材２０ｂの底壁２０１上面の屋外側の位置に載置し、両側壁部２１４，２１５の下端の上記係合爪をそれぞれ、底壁２０１上面の両係合爪２０３に係合するとともに、側壁部２１４の表面に設けたクリップ３０を屋外側のベース部材２ａの起立壁２０２の屋内側の壁面に設けた係合部２０５の上記係合溝に嵌合係止して着脱可能に組付けてある。
【００３０】
屋内側下枠部２ｂは、枠部材２１ｂの転動部２１１とガイド部２２の上面とが水平面をなす。枠部材２１ｂとガイド部２２との間には後述の障子１ｂのガイド片１１を挿入する貫通溝２３ｂが形成してある。また、枠部材２１ｂの転動部２１１は屋外側下枠部２ａの転動部２１１および屋外側のガイド部２２の上面と同一の水平面をなし、枠部材２１ｂの転動部２１１と屋外側のガイド部２２の上面との間にはこれらを面一に架けわたす合成樹脂板からなる断熱材４１が設けてある。尚、枠部材２１ｂは屋外側の枠部材２１ａと同様に長手方向に分割構造としてある。
【００３１】
屋外側および屋内側下枠部２ａ，２ｂには、各貫通溝２３ａ，２３ｂより侵入した雨水等を屋外側へ排出する排水口が設けてある。図１ないし図３に示すように、屋内側下枠部２ｂには、枠部材２１ｂの屋内側の側壁部２１５の下端と底壁２０１との係合部、および屋外側の側壁部２１４の下端と底壁２０１との係合部にそれぞれ、下枠部２ｂの長手方向に沿う所定の部位の側壁部２１５，２１４の下端と係合爪２０３を切欠いた複数の排水口５１，５２が形成してある。屋内側の側壁部２１５の排水口５１の形成位置と、屋外側の側壁部２１４の排水口５２の形成位置とは、下枠部２ｂの長手方向にずらした位置としてある。
【００３２】
屋外側下枠部２ａには、ベース部材２ａの起立壁２０２の下端に、これを貫通して屋内側下枠部２ｂから排水される雨水等を屋外側下枠部２ａ側へ受け入れる排水口５３が形成してある。排水口５３は起立壁２０の長手方向に沿う所定の位置に複数形成し、形成位置は屋内側下枠部２ｂの排水口５１と同等位置にしてある。更に、屋外側下枠部２ａには、枠部材２１ａの屋内側の側壁部２１５の下端と底壁２０１との係合部、および屋外側の側壁部２１４の下端と底壁２０１との係合部にそれぞれ、長手方向に沿う所定の部位の側壁部２１５，２１４の下端と係合爪２０３を切欠いた複数の排水口５４，５４が形成してある。排水口５４は屋内側下枠部２ｂの排水口５２と同等位置に形成してあり、排水口５５は起立壁２０２の排水口５３と同等位置に形成してある。この様に各排水口５１，５２，５３，５４，５５は互い違いの位置に設けられている。
【００３３】
図略ではあるが、屋外側および屋内側下枠部２ａ，２ｂは各取付片２０６，２０７の先端間にアンカー部材を嵌合し、該アンカー部材を介して建物の下地部材に固定してある。下枠部２ａ，２ｂの上面は屋内の床面とほぼ面一にしてある。
【００３４】
屋外側および屋内側下枠部２ａ，２ｂはそれぞれ、屋外側および屋内側の障子１ａ，１ｂを開閉移動可能に支持している。屋外側および屋内側の障子１ａ，１ｂは同一構造で、屋外側の障子１ａを中心に説明する。障子１ａは、木製の下框１０１の表面にこれを被覆するアルミ製の表面パネル１５を取り付けたもので、下框１０１と表面パネル１５とで２重ガラス１６を挟み付けて支持している。表面パネル１５の下框１０１への取り付けは、各ベース部材２０ａ，２０ｂへの各枠部材２１ａ，２１ｂの取り付けに用いたものと同一のクリップ３０で係合固定してある。
【００３５】
障子１ａには下框１０１の下端に戸車１０が設けてあり、戸車１０は枠部材２１ａの転動部２１１に転動自在に載置してある。また下框１０１の下端には下方へ突出するガイド片１１が設けてあり、ガイド片１１は下端が下枠部２ａの貫通溝２３ａに挿入してある。ガイド片１１は下框１０１の長手方向のほぼ全幅にわたって設けてあり、ガイド片１１の下端には、その本体の下縁からガイド部２２側（屋内側）へ向けて屈曲する底部１２と、底部１２から上方へ屈曲する先端部１３とからなる断面ほぼ鉤形に形成してある。そして先端部１３には合成樹脂の摺動部材１４が固着してあり、摺動部材１４と一体に先端部１３をガイド部２２内に摺動可能に嵌合してある。障子１ａは開閉移動時に、ガイド片１１の先端部１３が摺動部材１４を介してガイド部２２に摺動案内される。ガイド部２２とガイド片１１との隙間には、ガイド部２２側にタイト材４２が設けてあり、タイト材４２の先端がガイド片１１の本体側面に当接して上記隙間を遮蔽している。
【００３６】
障子１ａを下枠部２ａに取り付けるには、予め、長手方向に２分割構造とした枠部材２１ａの一方の部材のみを下枠部２ａの片側から取り外しておき、下枠部２ａの片側の貫通溝２３ａを開放した状態にしておく。そして、障子１ａを、上記貫通溝２３ａを開放した片側より取り付け、ガイド片１１の先端部１３をガイド部２２にその下方より挿入する。その後、障子１ａを、取り外されていない他方の枠部材２１ａ側へ移動して、戸車１０を他方の枠部材２１ａの転動部２１１に載置する。後に、下枠部２ａの片側に取り外しておいた枠部材２１ａを組付ける。
【００３７】
障子１ａを下枠部２ａから取り外すには、障子１ａを下枠部２ａの片側に移動した状態で、障子１ａと反対側の枠部材２ａを取り外して、貫通溝２３ａを開放する。その後、障子１ａを上記貫通溝２３ａを開放した片側に移動することで、ガイド片１１の先端部１３とガイド部２２との嵌合を解除して障子１ａを取り外す。
【００３８】
障子１ａの上端部は、図５に示すように、上框１０２の上面にガイド溝１０３が形成してあり、ガイド溝１０３を木製の上枠部材２５の下面に設けたガイドレール２５１に摺動可能に嵌合してある。
【００３９】
屋内側の障子１ｂも、屋外側の障子１ａと同様に、戸車１０を屋内側下枠部２ｂを構成する枠部材２１ｂの転動部２１１に載置し、ガイド片１１を貫通溝２３内に挿入するとともに、ガイド片１１の先端部１３を摺動部材１４を介してをガイド部２２内に摺動可能に嵌合してある。障子１ｂの取り付け、取り外しも、２分割構造の枠部材２ｂのうちのいずれか一方を外し、下枠部２ｂの片側の貫通溝２３ｂを開放して行う。
【００４０】
本実施形態によれば、各障子１ａ，１ｂの各ガイド片１１の下端を鉤形に形成し、先端部１３を各下枠部２ａ，２ｂのガイド部２２に嵌合したので、各障子１ａ，１ｂの戸車１０が各転動部２１１上にある異物に乗り上げても、従来構造のようにガイド片１１が下枠部２ａ，２ｂの貫通溝２３ａ，２３ｂから抜けることがなく、障子１ａ，１ｂが外れることはない。また、各下枠部２ａ，２ｂを構成する枠部材２１ａ，２１ｂを着脱可能な構造としたので、これらを外して各障子１ａ，１ｂのガイド片１１を挿入する貫通溝２３ａ，２３ｂを開放することにより、各障子１ａ，１ｂの取り付け、取り外しを行うことができる。
【００４１】
各下枠部２ａ，２ｂには、各貫通溝２３ａ，２３ｂ内に雨水等が侵入するが（図１，図２，図３の黒矢印）、屋内側の貫通溝２３ｂに侵入した雨水は、屋内側の枠部材２１ｂの両側壁部２１５，２１４の排水口５１，５２および屋外側のベース部材２０ａの起立壁２０２の排水口５３を通って屋外側の貫通溝２３ａへ排水される。この場合、各排水口５１，５２，５３を各下枠部２ａ，２ｂの長手方向の互い違いの位置に形成してあるので、雨水は蛇行しながら排水される。屋外側の貫通溝２３ａに侵入した雨水および屋内側の貫通溝２３ｂより排水された雨水は、屋外側の枠部材２１ｂの両側壁部２１５，２１４に互い違いに形成された排水口５４，５５を通って蛇行しながら屋外へ排水される。
【００４２】
また、屋外から排水口５５を通って屋外側の下枠部２ａの貫通溝２３ａ内部へ逆風が侵入するが（図１，図３の白矢印）、逆風は互い違いに形成された排水口５５，５４を通って蛇行しながら侵入へする分、風力が弱まる。また、貫通溝２３ａへ侵入した逆風の一部は枠部材２１ａとガイド部２２との開口部から外部へ抜ける。この場合、障子１ａのガイド片１１の下端を屋内側へ屈曲する鉤形に形成し、先端部１３をガイド部２２に嵌合したので、ガイド片１１とガイド部２２との隙間を逆風が通り抜け難く、大半が屋外側の枠部材２１ａとガイド片１１との隙間を通って外部へ抜ける。仮に、逆風により貫通溝２３ａ内の雨水等が吹き上げられても、逆風とともにガイド片１１よりも屋外側へ抜ける。
【００４３】
貫通溝２３ａへ侵入した逆風の一部は、ベース部材２０ａの起立壁２０２の排水口５３を通って屋内側の貫通溝２３ｂ側へ侵入する。逆風は互い違いに形成された各排水口５３，５２，５１を通って蛇行しながら侵入する分、貫通溝２３ｂへ侵入する逆風の風力はかなり弱まり、屋内側の枠部材２１ｂと屋内側の障子１ｂのガイド片１１との隙間を通って外部へ抜ける。このように、貫通溝２３ｂへ侵入する逆風の風力は弱く、これにより貫通溝２３ａ内の雨水等が吹き上げられることがなく、逆風が障子１ｂのガイド片１１よりも屋外側へ抜けるので、従来構造のように弁を用いることなく、屋内への雨水等の侵入を防ぐ高い水密性能を発揮する。
【００４４】
また、屋外側の下枠部２ａと屋内側の下枠部２ｂとを断熱材４０，４１により結合せしめたので、外気温が下がって屋外側の下枠部２ａが冷やされても、屋内側の下枠部２ｂは冷えず、屋内側の下枠部２ｂが結露し難い。
【００４５】
尚、上述の実施形態は本発明の範囲を限定するものではなく、本発明の範囲には上述の実施形態を様々に変形、変更したものも含まれる。例えば、引き違い障子を支持するものに限らず片側の障子のみを支持するサッシ構造に用いてもよい。また、上述の実施形態では、屋外側の排水口５５を下枠部２ａの長手方向に複数設ける構造としたが、これに限らず、例えば、屋外側の排水口５５を屋外側の下枠部２ａの長手方向ほぼ全幅にわたって形成してもよい。この場合、ベース部材２０ａに枠部材２１ａを係合固定するクリップ３０を、枠部材２１ａの屋内側の側壁部２１５の排水口５４と対向する位置に設け、クリップ３０を逆風除けとして用い、貫通溝２３ａ内に侵入する逆風の風力を弱めるようにすることが望ましい。
【００４６】
更に、屋内側の貫通溝２３ｂ内へ侵入する逆風は風力が低下し、貫通溝２３ｂ内の雨水等が吹き上げられないので、図６に示すように、屋内側の下枠部２ｃのガイド部２２ｃを枠部材２ｃに設けるとともに、屋内側の障子１ｃのガイド片１１ａの下端を、その本体下縁から屋外側へ屈曲する底部１２とその先端から上方へ屈曲する先端部１３とで屋外側へ屈曲する鉤形に形成し、先端部１３を上記ガイド部２２ｃに嵌合するようにしてもよい。これによれば、ベース部材２０ｃの起立壁２０２側にガイド部を設ける必要がない分、下枠部２ｃの幅を狭くできる。
【図面の簡単な説明】
【００４７】
【図１】本発明のフラットサッシ構造を示すもので、図２のＩ−Ｉ線に沿う要部断面図である。
【図２】上記フラットサッシ構造の排水口の位置関係を示す概略平面図である。
【図３】図１に対応し、上記フラットサッシ構造の図２のII−II線に沿う要部断面図である。
【図４】上記フラットサッシ構造のベース部材への枠部材の組付けに用いるクリップを示し、図４（Ａ）はクリップの平面図、図４（Ｂ）は図４（Ａ）のIV−IV線に沿う断面図である。
【図５】上記フラットサッシ構造に用いる障子と上枠部材との組付け状態を示す要部断面図である。
【図６】本発明の他のフラットサッシ構造を示すもので、図１に対応する要部断面図である。
【図７】従来のフラットサッシの要部斜視図である。
【図８】図７のVIII−VIII線に沿う断面図である。
【符号の説明】
【００４８】
１ａ，１ｂ，１ｃ  障子
１０  戸車
１１，１１ａ  ガイド片
１２  底部
１３  先端部
１４  摺動部材
２ａ，２ｂ，２ｃ  サッシ下枠部
２０ａ，２０ｂ，２０ｃ  ベース部材
２０１  底壁
２０２  起立壁                                                                  ２１ａ，２１ｂ，２１ｃ  枠部材
２１４，２１５  側壁
２３ａ，２３ｂ，２３ｃ  貫通溝
２２，２２ａ  ガイド部
３０  クリップ
４０，４１  断熱材
５１，５２，５３，５４，５５  排水口
【図１】
2005350942.tif 000003
【図２】
2005350942.tif 000004
【図３】
2005350942.tif 000005
【図４】
2005350942.tif 000006
【図５】
2005350942.tif 000007
【図６】
2005350942.tif 000008
【図７】
2005350942.tif 000009
【図８】
2005350942.tif 000010